(57)【要約】      （修正有）【課題】バイオハザード対策室を構成する各装置に、バイオハザード対策室利用者が正しく装置を使用しているかを管理し、バイオハザード対策室内での感染を防止するとともに、万が一感染が起こった際に容易に原因を究明し、感染の拡大が防止できる、使い勝手に優れた安全キャビネットを提供する。【解決手段】安全キャビネット７の排気系に連接する循環流露内に複数の風速計を有し、風速計の速度情報と、安全キャビネットの情報を記憶する装置を有する構成にする。また、上位装置へ情報を伝達する通信手段を設け、バイオハザード対策室内の各装置の運転状態を記録・管理するよう構成する。【選択図】図３
2008200671.tif 000002
【特許請求の範囲】
【請求項１】
送風手段により第一の空気清浄手段を通して作業空間に清浄空気を供給する給気系と、前記作業空間に連結する循環流路から排気手段により第二の空気清浄手段を介して装置外へ空気を排出する排気系と、前記送風手段と、前記第一の空気清浄手段に連接する圧力チャンバと、前記作業空間前面に形成する前面シャッタと、前記前面シャッタ下部の作業空間に連接する前面開口部と、前記開口部下側の前記作業空間底面の前面に形成した空気吸い込み口と、前記空気吸い込み口と相反する作業空間壁面に形成した空気吸い込み口を有する安全キャビネットにおいて、
前記送風手段の運転開始・停止時間を記憶する記憶装置と、実験試料名称を入力する操作部と、前記試料名称を記憶する装置を有することを特徴とする安全キャビネット。
【請求項２】
請求項１記載の安全キャビネットにおいて、作業空間内に通信接続装置を有し、作業空間内の通信情報と安全キャビネットの情報を記憶することを特徴とする安全キャビネット。
【請求項３】
請求項１又は２記載の安全キャビネットにおいて、排気系に連接する循環流露内に複数の風速計を有し、前記風速計の速度情報と、安全キャビネットの情報を記憶する装置を有することを特徴とする安全キャビネット。
【請求項４】
請求項１、２又は３記載の安全キャビネットにおいて、安全キャビネットの情報を上位機器に伝える通信機を有することを特徴とする安全キャビネット。
【発明の詳細な説明】
【技術分野】
【０００１】
本発明は、医療、製薬など遺伝子操作の産業分野において、微生物・病原体などの取り扱いにより発生する災害を防止する実験室、いわゆるバイオハザード対策室に設置された安全キャビネットに関する。
【背景技術】
【０００２】
従来、バイオハザード対策の人・環境と生物材料・病原体を物理的に隔離する一次バリアとして安全キャビネットが用いられている。その安全キャビネットをバックアップする二次バリアとしてバイオハザード対策室が用いられている。従来技術によるバイオハザード対策室を組換えＤＮＡ実験指針（平成14年１月31日文部科学省告示第５号）附属資料１  ２０リットル以下の規模で行う実験に係わる物理的封じ込めに関する規定に示す。従来技術では、前後の扉が同時に開かない構造の前室などを有する実験室内に試料を保存する冷蔵庫、エアロゾルを発生する作業を行う場合、外部への感染を保護する安全キャビネット、実験が終了し廃棄する際に滅菌する高圧蒸気滅菌器を配置し、感染源の物理的封じ込めを行いながら実験を行っている。
【０００３】
また、特開２００３−４７４５７号公報（特許文献１）には、建屋内に配置した滅菌器と安全キャビネット装置を監視して制御する制御室を設けた構成が開示されている。
【０００４】
【特許文献１】特開２００３−４７４５７号公報
【非特許文献１】組換えＤＮＡ実験指針（平成14年１月31日文部科学省告示第５号）附属資料１  20リットル以下の規模で行う実験に係わる物理的封じ込めに関する規定
【発明の開示】
【発明が解決しようとする課題】
【０００５】
前記従来技術によるバイオハザード対策室では、前室の出入口の扉は、前後が同時に開かない構造で、前室だけで一つの機能、冷蔵庫は冷蔵庫、高圧蒸気滅菌器は高圧蒸気滅菌器と、それぞれ独立したものをバイオハザード対策室で使用しているという状態であった。更に、安全キャビネットに至っては、音波破砕機などのエアロゾルの発生する操作の安全キャビネット内での使用の義務付けなど安全キャビネットの正しい運用方法を人の取り扱い方法に頼っている状態であった。このため、万が一、装置の取り扱い不備などで感染が生じた場合、作業者への聴き取り調査などで原因を追求する手段しか方法がなかった。
【０００６】
本発明の目的は、バイオハザード対策室内での感染を防止するとともに、万が一、感染が起こった際に容易に原因を究明し、感染の拡大が防止できるバイオハザード対策室に設置する安全キャビネットを提供することにある。
【課題を解決するための手段】
【０００７】
上記課題を解決するために、本発明は以下のように装置を構成したものである。
【０００８】
バイオハザード対策室を構成する各装置に、上位装置へ情報を伝達する通信手段を設け、バイオハザード対策室内の各装置の運転状態を記録・管理するよう構成したものである。  
【発明の効果】
【０００９】
本発明の実施により、バイオハザード対策室内での感染を防止するとともに、万が一、感染が起こった際に容易に原因を究明し、感染の拡大が防止できるバイオハザード対策室を提供する。  
【発明を実施するための最良の形態】
【００１０】
以下、本発明の実施の形態を図１〜図９により説明する。
【実施例１】
【００１１】
図１は、本発明の第１実施の形態を示すバイオハザード対策室の構成図である。
【００１２】
バイオハザード対策室１は開放できる窓のない部屋で構成され、限られた出入り口から作業者は出入りする。出入り口には、エアーロックルーム２が構成されている。エアーロックルーム２は、前後に同時に開かない扉を有し、バイオハザード対策室１内部の空間が開放状態になることを防いでいる。バイオハザード対策室１には排気用ＨＥＰＡフィルタ１０により室内の細菌・ウイルス２８を除去し、排気ダクト１１を通り、排気ファン１２により屋外に排気する構成になっている。この構成によりバイオハザード対策室１内を負圧に保ち、細菌・ウイルス２８の室外への漏洩を防止している。
【００１３】
バイオハザード対策室１で用いられる試料は、冷蔵庫・冷凍庫３内で保管される。作業者は、冷蔵庫・冷凍庫３から試料を取り出し、安全キャビネット７内で実験を行う。安全キャビネット内で作業を行うことにより作業者への試料の感染や、試料への雑菌の混入を防止することが可能となる。実験には、音波破砕器、ホモジナイザー、シェーカー８などの使用時に必ずエアロゾルが発生する装置がある。これらの装置は必ず安全キャビネット７内で使用し、発生したエアロゾルがバイオハザード対策室内に漏れないように作業する必要がある。
実験が終了し不要になった廃棄物は、高圧蒸気滅菌器９により滅菌し、感染が起こらない状態にしてからバイオハザード対策室外から取り出し廃棄する。
【００１４】
以上がバイオハザード対策室１の主な構成であるが、取り扱う細菌・ウイルス・ＤＮＡの感染時の人体及び社会に与える影響度のレベルによっては、エアーロックルーム２、排気用ＨＥＰＡフィルタ１０等の排気系統を設けない場合もある。
【００１５】
第１実施の形態では、エアーロックルーム２の扉にリミットスイッチ、近接スイッチを設け、扉の開閉情報をパーソナルコンピュータ等の上位の記憶装置１３に伝達している。
これにより、何時、作業者がバイオハザード対策室に入退室したかを管理することができる。エアーロックルーム２では、前後の扉が同時に開かない構成にする必要があるため、入り口と出口の両方にリミットスイッチ、近接スイッチなどのセンサを個別に設けることにより、作業者が入室したのか、退室したのかを管理することができる。
【００１６】
また、エアーロックルーム２の二つの扉のリミットスイッチ両方が、扉が開いていることを検出した場合、安全キャビネット７を運転開始しないインタロックを設ける等、実験室から細菌・ウイルスが漏洩する可能性を最小限にすることができる。安全キャビネット７運転中に他の装置とのインタロック機構により安全キャビネット7を停止することは、実験中の感染につながるため、一旦起動した安全キャビネット７の運転は、最優先にする必要がある。
【００１７】
また、冷蔵庫・冷凍庫３の温度情報、扉の開閉情報をパーソナルコンピュータ等の上位の記憶装置１３に伝達している。冷蔵庫・冷凍庫３扉の開閉情報は、扉にリミットスイッチ、近接スイッチを設け開閉情報を入手することが可能となる。冷蔵庫・冷凍庫３の温度情報、扉の開閉情報をパーソナルコンピュータ等の上位の記憶装置１３に伝達することにより、バイオハザード対策室外から、冷蔵庫・冷凍庫３の温度情報、扉開閉情報による試料の出し入れ情報を入手、記憶することが可能となる。
【００１８】
また、安全キャビネットの運転情報をパーソナルコンピュータ等の上位の記憶装置１３に伝達している。この構成により何時、安全キャビネットを使用しかたを管理することが可能となる。
【００１９】
また、高圧蒸気滅菌器９の温度情報、運転時間情報、扉開閉情報を、上位の記憶装置１３に伝達している。この構成により、何時、高圧蒸気滅菌器９の扉を開け、何分間滅菌処理を行ったかを、管理することが可能となるため、正しく滅菌処理を行ったかを管理することが可能となる。
【００２０】
高圧蒸気蒸気滅菌機９の運転時間を積算し、高圧蒸気により内部部品が劣化する時間を警告し、装置の点検を促すことにより、常に安全な滅菌処理行うことが可能となる。
また、排気ファン１２の運転情報を、上位の記憶装置１３に伝達することによりバイオハザード対策室１の空気が正常に排気されているかを管理することが可能となる。更に、バイオハザード対策室１内に差圧センサ６を設け、その差圧情報を上位の記憶装置１３に伝達することにより、バイオハザード対策室１が正しく負圧になっているかを管理することが可能となる。
【００２１】
バイオハザード対策室１が負圧になっていない場合、エアーロックルーム２の扉にインタロックを掛け、入室を制限することにより、細菌・ウイルスの漏洩を防止することが可能となる。
【００２２】
以上の構成により、入室から、試料の保管状態、試料の取り出し、安全キャビネットの使用情報、試料の滅菌情報を上位の記憶装置１３で管理することが可能となる。上位の記憶装置は、入退室の不便なバイオハザード対策室１内に設置する必要がないため、バイオハザード対策室外から、内部の状態を監視することが可能となる。
【００２３】
また、上位の記憶装置に伝達される細菌・ウイルス・病原体情報とバイオハザード対策室の実験室レベルに危険度を照合し、病原体を取り扱うべき対策室を警告することにより、正しいバイオハザード実験を補うことが可能となる。
【００２４】
更に、エアーロックルーム２、冷蔵庫・冷凍庫３、安全キャビネット７、高圧蒸気滅菌器９に使用者名を入力する入力装置（図示せず）を設けることにより、何時、誰が、感染の恐れのある試料を取り扱い、実験し、滅菌したかを管理できるため、万が一、感染が生じた際でも、感染源となる材料の足取りをつかむことが可能となり、感染の拡大を防止することが可能となる。使用者名を入力する装置は、使用者がバーコードを記載した名札を着用し、バーコードリーダーで入力する方法を用いると、入力ミスなどの誤りがなく、氏名入力などの、機器使用前のわずらわしさを排除することが可能となる。
【００２５】
図２は、本発明の第１実施の形態を示す冷蔵庫・冷凍庫の構造図である。
冷蔵庫・冷凍庫３には、入出庫のため扉３ａが設けられている。更に、冷蔵庫・冷凍庫３の操作部４を設けている。操作部４には、内部に試料を入庫した際に入力する入庫スイッチ４ａ、内部から試料を取り出した際に入力する出庫スイッチ４ｂを設け、試料の入出庫情報を管理することが可能となる。また、内部に格納する試料名称を入力する装置５を設け、冷蔵庫・冷凍庫３内に何が入っているかを管理することが可能となる。試料名称を入力する方法は、細菌・ウイルス・ＤＮＡなどの名称のメニューリストから選択し、選択スイッチ５ａにより確定することにより入力ミスなどを防止することができる。更に、既知の細菌・ウイルス・ＤＮＡは感染した場合、社会の対する影響度により、取り扱うことができるバイオハザード対策室１のレベルが異なってくる。細菌・ウイルス・ＤＮＡのメニューとバイオハザード対策室１のレベルを照合することにより、試料が正しいか、バイオハザード対策室１のレベル分取り扱われたかを管理することが可能となる。試料名称を入力する装置は、ウイルス名称プルダウンメニュー５のようなものではなく、試料の入った容器に試料名を記載したバーコードを設け、バーコードリーダーで取り扱う試料を読み取ることにより、試料名称の誤入力防止と、管理が容易となる。
【００２６】
この情報を上位の記憶装置１３に伝達することにより、保管している試料、使用している試料を管理することが可能となる。
【００２７】
また、操作部４に警報表示等（図示せず）を設け、冷蔵庫・冷凍庫３が設置されているバイオハザード対策室１の実験室レベルと、入出庫する病原体の危険度を照合することにより、実験室レベルに対応しない細菌・ウイルス・病原体を取り扱った場合に警告を発し、病原体の誤操作を防止することが可能となる。
【００２８】
図３は、本発明の第１実施の形態を示す安全キャビネットの外観図である。
【００２９】
図４は、本発明の第１実施の形態を示す安全キャビネットの操作部詳細図である。
【００３０】
安全キャビネット７の正面には、前面シャッタ１４とその下部に前面開口部１５が形成されている。前面開口部１５から手を挿入することができる内部に、作業台１６が形成されている。前面開口部１５の下部には、前面吸い込みスリット１７が形成されている。前面吸い込みスリット１７から吸い込まれる気流により、前面開口部１５にエアバリアを形成し、作業台１６側と安全キャビネット７外部とのコンタミネーションの防止を図っている。
【００３１】
安全キャビネット７の操作部１８には、送風機を運転するスイッチ１８ａが設けられており、送風機の運転停止を制御することができる。また、安全キャビネット７内で実験する試料名称を入力する装置５を設け、何時、どのような試料を安全キャビネット７内で取り扱ったかを管理することが可能となる。試料名称を入力する方法は、細菌・ウイルス・ＤＮＡなどの名称のメニューリストから選択し、選択スイッチ５ａにより確定することにより入力ミスなどを防止することができる。
【００３２】
また、安全キャビネット７を使用した使用者名を入力する装置（図示せず）を設けることにより、何時、誰が、どの試料を取り扱ったかを記憶することが可能となる。
【００３３】
以上の安全キャビネット７運転情報を、上位の記憶装置１３に伝達することにより、バイオハザード対策室１外から安全キャビネット７の運転情報、試料取り扱い情報を管理することが可能となる。使用者名を入力する装置は、冷蔵庫・冷凍庫３同様、使用者がバーコードを記載した名札を着用し、バーコードリーダーで入力する方法を用いてもよい。
【００３４】
以上により安全キャビネット７、何時、誰が、どの試料を用いた実験に使用したか管理することが可能となる。
【００３５】
また、操作部１８に警報表示等（図示せず）を設け、安全キャビネット7の設置上の排気状態（管理室の記憶装置に記憶）と取り扱う細菌・ウイルス・病原体を照合することにより、安全キャビネット７の排気状態に適合しない場合には、警告を発し、病原体の誤った操作を防止することが可能となる。安全キャビネット７の排気状態だけではなく、バイオハザード対策室１の実験室レベルと比較することも可能である。
【実施例２】
【００３６】
図５は、本発明の第２実施の形態を示す安全キャビネットの断面構造図である。
【００３７】
前面開口部１５から吸い込まれる空気により前面開口部１５に流入気流１９を形成している。これが、作用空間２５と外のエアバリアとなる。前面開口部１５から吸い込まれた空気は、前面吸い込みスリット１７を通り、作業台１６下部を通り、作業空間２５の背面に形成している循環流路２６を通り、送風機２２に吸い込まれる。循環流路２６には、途中から、背面空気吸い込み口２７から吸い込まれて作業空間２５内の空気も加わる。送風機２２で吸い込まれた空気は、圧力チャンバ２１に供給される。このことにより、圧力チャンバ２１は加圧される。圧力チャンバ２１には、排気用ＨＥＰＡフィルタ２３、給気用ＨＥＰＡフィルタ２４に接続されているため、夫々、排気、給気側に清浄空気を供給することが可能となる。排気用ＨＥＰＡフィルタ２３を通った空気は、細菌・ウイルス２８類を除去され、安全キャビネッ７外へ放出される。給気用ＨＥＰＡフィルタ２４を通った空気は、細菌・ウイルス２８を除去され吹き出し気流２０となって、作業区間２５内に供給される。この気流構成により安全キャビネット７では、作業空間２５内の細菌・ウイルス２８を安全キャビネット７外へ漏洩することなく、また、安全キャビネット７外の雑菌を作業空間２５内の混入することを防いでいる。
【００３８】
病原体の研究、医薬品の研究開発、組換えＤＮＡの研究には、音波破砕器、ホモジナイザー、シェーカー８などの感染の恐れがあるエアロゾルを発生する装置を使用する。これらの装置は、エアロゾルによる飛沫感染の可能性があるため、安全キャビネット７内で取り扱う必要がある。第２実施の形態では、音波破砕器、ホモジナイザー、シェーカー８に運転中で有ることを装置外部へ出力する信号接続口を設けている。また、安全キャビネット７の作業空間２５には、音波破砕器８などの運転信号を接続する、作業区間内信号接続口２９を設けている。この作業空間２５内で使用する装置と、その装置の運転状態信号を安全キャビネット７の操作回路・通信機３０を通し、上位の記憶装置１３に出力している。また、安全キャビネット７の操作回路・通信機３０は、安全キャビネットの運転情報も上位の記憶装置１３に出力することにより、上位の記憶装置１３では、安全キャビネット７内で使用すべき装置が正しく、安全キャビネット内７で使われているかを監視することが可能となる。
【００３９】
また、音波破砕器８の運転情報を装置外へ出力するだけではなく、入出力装置から安全キャビネット７の運転情報を音波破砕器８などに取り込むことにより、安全キャビネット７の送風機２２が運転していない場合には、音波破砕器８を動作しないようにして、エアロゾルの発生を防ぐなどして、装置の取り扱い不備による感染を防止することが可能となる。
【実施例３】
【００４０】
図６は、本発明の第３実施の形態を示す安全キャビネットの断面構造図である。
【００４１】
図８は、本発明の第３実施の形態を示す安全キャビネットの運転情報概念図である。
【００４２】
図６において、安全キャビネット７の作業空間２５背面の循環流路２６には、複数の風速計３１を配置している。この風速計の風速情報は、安全キャビネット７の操作回路・通信機３０に伝達されている。風速計３１は、循環流路２６内に配置されているため、作業空間２５内の吹き出し気流２０と流入気流１９の合計した風速を測定することが、可能となる。その風速計情報から安全キャビネット７の気流状態を推定したグラフを図８に示す。
循環流路２６内の左右離れた位置に風速計３１ａ、風速計３１ｂを配置している。図８において、安全キャビネット７の運転を開始した場合、送風機２２により循環流路２６内の気流が流れ、風速計３１ａの風速はグラフ中のｅポイント、風速計３１ｂの風速はｈポイントとなる。運転状態で前面シャッタ１４を開いた場合、前面開口部１５から流入する空気が増加し、結果的に、風量が増えたことにより循環流路２６内の風速も増加し、風速計の値は、風速計３１ａの風速はグラフ中のｆポイント、風速計３１ｂの風速はｉポイントとなる。２つの風速計の値が同様に増加するため、前面シャッタ１４を開き、全体の風量が変化したと推定することができる。このとき、細菌・ウイルス２８を取り扱っていた場合は、前面開口部１５の流入風速低下によりエアバリア破損で、感染する可能性があったことが分かる。風速計ｂのｊ部のように片側の風速計の風速値が低下した場合には、安全キャビネット７の前面吸い込みスリット１７の左右の局部が、一時的に塞がれ、風速が低下したと推定できる。このとき細菌・ウイルス２８を取り扱っていた場合には、感染の可能性があったことを示している。他に背面空気吸い込み口２７が塞がれた場合にも循環流露２６の風速は低下する。
【００４３】
図７は、本発明の第１実施の形態を示す安全キャビネットの運転情報概念図である。
安全キャビネット７の運転スイッチ１８ａを押すと、送風機２２の運転が始まり、作業空間２５内に清浄空気が供給され始める。このとき、運転履歴には、運転開始情報ａが残る。また、作業空間２５内細菌・ウイルス２８の取り扱い始めた場合、ウイルス選択スイッチ５ａで入力することにより、運転履歴には、ウイルス操作開始情報ｃが残る。安全キャビネット７では、運転開始から安全キャビネット内のクリーンアップ完了まで時間を要する場合がある。医薬製造業では、安全キャビネット７の運転開始時間から、ウイルス操作開始時間に時間差を設け、安全キャビネット７のクリーンアップ運転時間を管理している場合がある。その場合、本実施例を使用することにより、安全キャビネット７の運転開始時間、ウイルス操作開始時間を自動的に記録することが可能となる。
【００４４】
ウイルス操作完了時点には、ウイルス選択スイッチ５ａを解除するなどして、ウイルス操作完了時間を記録する。また、安全キャビネット７の運転終了は、運転停止スイッチをＯＦＦすることで、安全キャビネット停止時間を記録することが可能となる。安全キャビネット内に漂っている細菌・ウイルス２８をＨＥＰＡフィルタで回収してから安全キャビネット７の送風機２２を停止される必要があるため、ウイルス操作完了から安全キャビネット７の停止まで、時間差を設ける必要がある。作業者がこの時間差を確実に取っているかも運転記録を見ることにより管理することが可能となる。
【実施例４】
【００４５】
図９は、本発明の第４実施の形態を示すエアーロックルームの構成図である。
エアーロックルーム２の前後には、同時に開かない扉２ａ、２ｂが設けられている。この２枚の扉の開閉情報を上位の記憶装置１３に伝達することにより、バイオハザード対策室への入退室情報を管理することが可能となる。
【００４６】
更に、第４実施の形態では、エアーロックルーム２内に血液採取分析装置３２を配置し、入時に血液採取、分析し、氏名情報と共に管理することにより、万が一、感染が生じた場合、何時の時点から感染が生じたかの履歴を追うことが可能となる。
【産業上の利用可能性】
【００４７】
本発明は、バイオハザード対策室内での感染を低減するとともに、万が一、感染が起こったに容易に原因を究明し、感染の拡大が防止できるバイオハザード対策室を提供する。
【図面の簡単な説明】
【００４８】
【図１】本発明の第１実施の形態を示すバイオハザード対策室の構成図である。
【図２】本発明の第１実施の形態を示す冷蔵庫・冷凍庫の構成図である。
【図３】本発明の第１実施の形態を示す安全キャビネットの外観図である。
【図４】本発明の第１実施の形態を示す安全キャビネットの操作部詳細図である。
【図５】本発明の第２実施の形態を示す安全キャビネットの断面構造図である。
【図６】本発明の第３実施の形態を示す安全キャビネットの断面構造図である。
【図７】本発明の第１実施の形態を示す安全キャビネットの運転情報概念図である。
【図８】本発明の第３実施の形態を示す安全キャビネットの運転情報概念図である。
【図９】本発明の第４実施の形態を示すエアーロックルームの構成図である。
【符号の説明】
【００４９】
１…バイオハザード対策室、２…エアーロックルーム、
２ａ…エアーロックルーム入り口扉、２ｂ…エアーロックルーム出口扉、
３…冷蔵庫・冷凍庫、３ａ…冷蔵庫・冷凍庫扉、４…冷蔵庫・冷凍庫操作部、
４ａ…入庫スイッチ、４ｂ…出庫スイッチ、５…ウイルス名称プルダウンメニュー、
５ａ…選択スイッチ、６…差圧センサ、７…安全キャビネット、７ａ…本体ケース、
８…音波破砕器（ホモジナイザー、シェーカー）、９…高圧蒸気滅菌器、
１０…排気ＨＥＰＡフィルタ、１１…排気ダクト、１２…排気ファン、１３…記憶装置、
１４…前面シャッタ、１５…前面開口部、１６…作業台、１７…前面吸い込みスリット、
１８…操作部、１８ａ…操作スイッチ、１９…流入気流、２０…吹き出し気流、
２１…圧力チャンバ、２２…送風機、２３…排気用ＨＥＰＡフィルタ
２４…給気用ＨＥＰＡフィルタ、２５…作業空間、２６…循環流路、
２７…背面空気吸い込み口、２８…細菌・ウイルス、２９…作業室内信号接続口、
３０…操作回路・通信機、３１ａ…風速計、３１ｂ…風速計、３２…血液採取分析装置
【図１】
2008200671.tif 000003
【図２】
2008200671.tif 000004
【図３】
2008200671.tif 000005
【図４】
2008200671.tif 000006
【図５】
2008200671.tif 000007
【図６】
2008200671.tif 000008
【図７】
2008200671.tif 000009
【図８】
2008200671.tif 000010
【図９】
2008200671.tif 000011